(57)【要約】【課題】高速パケット通信中の基地局間ハンドオーバ時にデータロスのない高速パケットデータ転送を実現可能な移動通信システムを提供する。【解決手段】ＲＮＣは高速パケット通信中にＵＥからＮｏｄｅＢ間のハンドオーバの起動を要求するメッセージを受信すると、その時点までにＮｏｄｅＢへ送信したＨＳ−ＤＳＣＨＦＰのＳｅｑｕｅｎｃｅ  Ｎｕｍｂｅｒを記憶し、Ｓｅｒｖｉｎｇ  ＮｏｄｅＢにデータ転送先を通知する。ＲＮＣはルーティングによってＮＢＡＰ：Ｒａｄｉｏ  Ｌｉｎｋ  Ｒｅｃｏｎｆｉｇｕｒａｔｉｏｎ  Ｃｏｍｍｉｔ送信後に、Ｓｅｒｖｉｎｇ  ＮｏｄｅＢからＴａｒｇｅｔ  ＮｏｄｅＢへのデータ転送を開始する。【選択図】      図２
2004282652.tif 000002
【特許請求の範囲】
【請求項１】
複数の基地局を制御する基地局制御装置を含む移動通信システムであって、
前記基地局と移動局との間で高速パケット通信中に前記移動局による基地局間ハンドオーバの発生時にハンドオーバ元の基地局からハンドオーバ先の基地局へパケットデータを転送させる手段を前記基地局制御装置に有することを特徴とする移動通信システム。
【請求項２】
前記パケットデータを転送させる手段は、ＩＰ（Ｉｎｔｅｒｎｅｔ  Ｐｒｏｔｏｃｏｌ）アドレスによるルーティングにて前記ハンドオーバ元の基地局から前記ハンドオーバ先の基地局へのデータ転送を行わせることを特徴とする請求項１記載の移動通信システム。
【請求項３】
前記パケットデータを転送させる手段は、前記ハンドオーバ先の基地局のＩＰアドレスとＵＤＰ（Ｕｓｅｒ  Ｄａｔａｇｒａｍ  Ｐｒｏｔｏｃｏｌ）ポート番号とを前記ハンドオーバ元の基地局に通知することを特徴とする請求項２記載の移動通信システム。
【請求項４】
前記パケットデータを転送させる手段は、前記ハンドオーバ元の基地局と前記ハンドオーバ先の基地局との間のＡＡＬ２［ＡＴＭ（Ａｓｙｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ２］コネクションを設定して前記ハンドオーバ元の基地局から前記ハンドオーバ先の基地局へのデータ転送を行わせることを特徴とする請求項１記載の移動通信システム。
【請求項５】
前記パケットデータを転送させる手段は、前記ハンドオーバ先の基地局の前記ＡＡＬ２エンドポイントアドレスを前記ハンドオーバ元の基地局に通知することを特徴とする請求項４記載の移動通信システム。
【請求項６】
ＨＳ−ＤＳＣＨ（Ｈｉｇｈ  Ｓｐｅｅｄ−ＤｏｗｎｌｉｎｋＳｈａｒｅｄ  Ｃｈａｎｎｅｌ）フレームプロトコルにシーケンス番号をのせることで前記基地局間ハンドオーバの発生時に前記ハンドオーバ先の基地局での下り高速パケット転送時の順序制御を行うことを特徴とする請求項１から請求項５のいずれか記載の移動通信システム。
【請求項７】
複数の基地局を制御する基地局制御装置であって、
前記基地局と移動局との間で高速パケット通信中に前記移動局による基地局間ハンドオーバの発生時にハンドオーバ元の基地局からハンドオーバ先の基地局へパケットデータを転送させる手段を有することを特徴とする基地局制御装置。
【請求項８】
前記パケットデータを転送させる手段は、ＩＰ（Ｉｎｔｅｒｎｅｔ  Ｐｒｏｔｏｃｏｌ）アドレスによるルーティングにて前記ハンドオーバ元の基地局から前記ハンドオーバ先の基地局へのデータ転送を行わせることを特徴とする請求項７記載の基地局制御装置。
【請求項９】
前記パケットデータを転送させる手段は、前記ハンドオーバ先の基地局のＩＰアドレスとＵＤＰ（Ｕｓｅｒ  Ｄａｔａｇｒａｍ  Ｐｒｏｔｏｃｏｌ）ポート番号とを前記ハンドオーバ元の基地局に通知することを特徴とする請求項８記載の基地局制御装置。
【請求項１０】
前記パケットデータを転送させる手段は、前記ハンドオーバ元の基地局と前記ハンドオーバ先の基地局との間のＡＡＬ２［ＡＴＭ（Ａｓｙｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ２］コネクションを設定して前記ハンドオーバ元の基地局から前記ハンドオーバ先の基地局へのデータ転送を行わせることを特徴とする請求項７記載の基地局制御装置。
【請求項１１】
前記パケットデータを転送させる手段は、前記ハンドオーバ先の基地局の前記ＡＡＬ２エンドポイントアドレスを前記ハンドオーバ元の基地局に通知することを特徴とする請求項１０記載の基地局制御装置。
【請求項１２】
ＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）フレームプロトコルにシーケンス番号をのせることで前記基地局間ハンドオーバの発生時に前記ハンドオーバ先の基地局での下り高速パケット転送時の順序制御を行うことを特徴とする請求項７から請求項１１のいずれか記載の基地局制御装置。
【請求項１３】
複数の基地局を制御する基地局制御装置を含む移動通信システムのデータ転送方法であって、前記基地局制御装置側に、前記基地局と移動局との間で高速パケット通信中に前記移動局による基地局間ハンドオーバの発生時にハンドオーバ元の基地局からハンドオーバ先の基地局へパケットデータを転送させる処理を有することを特徴とするデータ転送方法。
【請求項１４】
前記パケットデータを転送させる処理は、ＩＰ（Ｉｎｔｅｒｎｅｔ  Ｐｒｏｔｏｃｏｌ）アドレスによるルーティングにて前記ハンドオーバ元の基地局から前記ハンドオーバ先の基地局へのデータ転送を行わせることを特徴とする請求項１３記載のデータ転送方法。
【請求項１５】
前記パケットデータを転送させる処理は、前記ハンドオーバ先の基地局のＩＰアドレスとＵＤＰ（Ｕｓｅｒ  Ｄａｔａｇｒａｍ  Ｐｒｏｔｏｃｏｌ）ポート番号とを前記ハンドオーバ元の基地局に通知することを特徴とする請求項２記載のデータ転送方法。
【請求項１６】
前記パケットデータを転送させる処理は、前記ハンドオーバ元の基地局と前記ハンドオーバ先の基地局との間のＡＡＬ２［ＡＴＭ（Ａｓｙｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ２］コネクションを設定して前記ハンドオーバ元の基地局から前記ハンドオーバ先の基地局へのデータ転送を行わせることを特徴とする請求項１３記載のデータ転送方法。
【請求項１７】
前記パケットデータを転送させる処理は、前記ハンドオーバ先の基地局の前記ＡＡＬ２エンドポイントアドレスを前記ハンドオーバ元の基地局に通知することを特徴とする請求項１６記載のデータ転送方法。
【請求項１８】
ＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）フレームプロトコルにシーケンス番号をのせることで前記基地局間ハンドオーバの発生時に前記ハンドオーバ先の基地局での下り高速パケット転送時の順序制御を行うことを特徴とする請求項１３から請求項１７のいずれか記載のデータ転送方法。
【請求項１９】
複数の基地局を制御する基地局制御装置を含む移動通信システムのデータ転送方法のプログラムであって、コンピュータに、前記基地局と移動局との間で高速パケット通信中に前記移動局による基地局間ハンドオーバの発生時にハンドオーバ元の基地局からハンドオーバ先の基地局へパケットデータを転送させる処理を実行させるためのプログラム。
【発明の詳細な説明】
【０００１】
【発明の属する技術分野】
本発明は移動通信システム、基地局制御装置及びそれに用いるデータ転送方法に関し、特にＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００システムでのＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信中のＮｏｄｅＢ（無線基地局）間のデータ転送の実現方法に関する。
【０００２】
【従来の技術】
近年、より高速なＩＭＴ−２０００システムのパケット伝送方法としては、下りのピーク伝送速度の高速化、低伝送遅延、高スループット化等を目的としたＨＳＤＰＡが検討されている。
【０００３】
ＨＳＤＰＡ方式とは８Ｍｂｐｓの下り高速パケット伝送を実現する方式である。このＨＳＤＰＡ方式においては、ＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）というチャネル（Ｃｈａｎｎｅｌ）を下りのトランスポートチャネルとして使用する。
【０００４】
上述したパケット伝送方法を用いる移動通信システムの構成を図５に示す。図５において、この移動通信システムは移動局（ＵＥ：Ｕｓｅｒ  Ｅｑｕｉｐｍｅｎｔ）１１と、セル（Ｃｅｌｌ）４０−１，４０−２を管理する基地局（ＮｏｄｅＢ）４−１，４−２と、基地局４−１，４−２を制御するＲＮＣ（ＲａｄｉｏＮｅｔｗｏｒｋ  Ｃｏｎｔｒｏｌｌｅｒ：基地局制御装置）１２と、移動交換網の交換動作を行うＣＮ（Ｃｏｒｅ  Ｎｅｔｗｏｒｋ：移動交換局）１４とから構成され、ＲＮＣ１２はデータの複製分配や合成選択を行うＭＤＣ（Ｍａｃｒｏ
Ｄｉｖｅｒｓｉｔｙ  Ｃｏｍｂｉｎｉｎｇ）１３を備えている。
【０００５】
上述した移動通信システムで用いるＨＳ−ＤＳＣＨのプロトコルスタックは、図６に示すように、ＮｏｄｅＢ内にＭＡＣ−ｈｓ（Ｈｉｇｈ  Ｓｐｅｅｄ  Ｍｅｄｉｕｍ  Ａｃｃｅｓｓ  Ｃｏｎｔｒｏｌ）機能が盛り込まれている。
【０００６】
図６において、ＲＮＣ［ＣＲＮＣ（Ｃｏｎｔｒｏｌｌｉｎｇ  ＲＮＣ）／ＳＲＮＣ（Ｓｅｒｖｉｎｇ  ＲＮＣ）］と基地局との間のインタアェースはＩｕｂと称され、基地局と移動局との間のインタアェースはＵｕと称されている。
【０００７】
移動局はＭＡＣ−ｄ（Ｄｅｄｉｃａｔｅｄ  ＭＡＣ）レイヤと、ＭＡＣ−ｈｓレイヤと、ＰＨＹ（ｐｈｙｓｉｃａｌ）レイヤとからなり、基地局はＭＡＣ−ｈｓレイヤと、ＰＨＹレイヤと、ＨＳ−ＤＳＣＨＦＰ（Ｈｉｇｈ  Ｓｐｅｅｄ−Ｄｏｗｎｌｉｎｋ  Ｓｈａｒｅｄ  Ｃｈａｎｎｅｌ  Ｆｒａｍｅ  Ｐｒｏｔｏｃｏｌ）レイヤと、ＴＮＬ（Ｔｒａｎｓｐｏｒｔ  Ｎｅｔｗｏｒｋ  Ｌａｙｅｒ）とからなる。また、ＲＮＣはＭＡＣ−ｄレイヤと、ＨＳ−ＤＳＣＨＦＰレイヤと、ＴＮＬとからなる。
【０００８】
音声呼で使用されるトランスポートチャネルのＤｅｄｉｃａｔｅｄ  Ｃｈａｎｎｅｌ等では、ＲＮＣ内におけるＭＤＣ機能によって、異なる基地局にデータを複製分配することによって、ソフトハンドオーバが可能である。しかしながら、ＨＳＤＰＡではＭＡＣ−ｈｓ機能が基地局に存在するため、基地局間のハンドオーバを実現することができない。
【０００９】
このため、ＨＳＤＰＡ方式での高速パケット通信中に基地局間のハンドオーバが発生した場合、ＲＮＣは下りのパケットデータの転送先をハンドオーバ元の基地局（Ｓｅｒｖｉｎｇ  ＮｏｄｅＢ）からハンドオーバ先の基地局（Ｔａｒｇｅｔ  ＮｏｄｅＢ）へと切替える必要がある（例えば、非特許文献１参照）。
【００１０】
この基地局間の切替えの際に、ハンドオーバ元の基地局のＭＡＣ−ｈｓ機能がリセットされ、それまでにキューに保持していたデータがクリアされてしまうため、データロスが発生する。
【００１１】
上位ＲＬＣ（Ｒａｄｉｏ  ｌｉｎｋ  Ｃｏｎｔｒｏｌ）レイヤが送達確認型（ＡＭ：Ａｃｋｎｏｗｌｅｄｇｅ  Ｍｏｄｅ）の場合にはロスが検出されたデータによって再送されるが、送達未確認型（ＵＭ：Ｕｎａｃｋｎｏｗｌｅｄｇｅ  Ｍｏｄｅ）の場合には上位プロトコルでクリアされたパケットの再送も行われない。
【００１２】
【非特許文献１】
３ＧＰＰ（３ｒｄ  Ｇｅｎｅｒａｔｉｏｎ  ＰａｒｔｎｅｒｓｈｉｐＰｒｏｊｅｃｔ）勧告のＴＳ２５．８７７  Ｖ５．５．０（２００２−１２）、第１１．２．７章
【００１３】
【発明が解決しようとする課題】
したがって、従来のデータ転送方法では、ＨＳＤＰＡ方式でのＲＬＣ−ＵＭを使用した高速パケット通信中に、加入者の移動等によって基地局間ハンドオーバが発生すると、移動局側で高速パケットのデータ抜け（データロス）が発生してしまうという問題が発生する。
【００１４】
これを避けるために、基地局の切替え時に、基地局間で高速パケットデータの転送を行う必要が生じる。また、ハンドオーバ先の基地局でＲＮＣとハンドオーバ元の基地局とから送られてきた高速パケットデータを順序通りに移動局へ送信する必要が生じる。
【００１５】
そこで、本発明の目的は上記の問題点を解消し、高速パケット通信中の基地局間ハンドオーバ時にデータロスのない高速パケットデータ転送を実現することができる移動通信システム、基地局制御装置及びそれに用いるデータ転送方法を提供することにある。
【００１６】
【課題を解決するための手段】
本発明による移動通信システムは、複数の基地局を制御する基地局制御装置を含む移動通信システムであって、
前記基地局と移動局との間で高速パケット通信中に前記移動局による基地局間ハンドオーバの発生時にハンドオーバ元の基地局からハンドオーバ先の基地局へパケットデータを転送させる手段を前記基地局制御装置に備えている。
【００１７】
本発明による基地局制御装置は、複数の基地局を制御する基地局制御装置であって、
前記基地局と移動局との間で高速パケット通信中に前記移動局による基地局間ハンドオーバの発生時にハンドオーバ元の基地局からハンドオーバ先の基地局へパケットデータを転送させる手段を備えている。
【００１８】
本発明によるデータ転送方法は、複数の基地局を制御する基地局制御装置を含む移動通信システムのデータ転送方法であって、前記基地局制御装置側に、前記基地局と移動局との間で高速パケット通信中に前記移動局による基地局間ハンドオーバの発生時にハンドオーバ元の基地局からハンドオーバ先の基地局へパケットデータを転送させる処理を備えている。
【００１９】
すなわち、本発明の移動通信システムは、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００システムのＲＮＣ（Ｒａｄｉｏ  Ｎｅｔｗｏｒｋ  Ｃｏｎｔｒｏｌｌｅｒ：基地局制御装置）において、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信中での基地局（ＮｏｄｅＢ）間ハンドオーバ発生時に、ＩＰ（Ｉｎｔｅｒｎｅｔ  Ｐｒｏｔｏｃｏｌ）アドレスによるルーティング、あるいは基地局間のＡＡＬ２［ＡＴＭ（Ａｓｙｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ２］コネクションを設定し、データ転送することによって、データロスのない連続した高速パケット受信を可能としている。
【００２０】
ＨＳＤＰＡ方式とは８Ｍｂｐｓの下り高速パケット伝送を実現する方式である。この方式で、ＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）というチャネル（Ｃｈａｎｎｅｌ）を下りのトランスポートチャネルとして使用する。
【００２１】
ＨＳ−ＤＳＣＨのプロトコルスタック（図６参照）は、基地局内にＭＡＣ−ｈｓ（Ｈｉｇｈ  Ｓｐｅｅｄ  Ｍｅｄｉｕｍ  Ａｃｃｅｓｓ  Ｃｏｎｔｒｏｌ）機能が盛り込まれている。音声呼で使用されるトランスポートチャネルのＤｅｄｉｃａｔｅｄ  Ｃｈａｎｎｅｌ等では、ＲＮＣ内におけるＭＤＣ（Ｍａｃｒｏ  Ｄｉｖｅｒｓｉｔｙ  Ｃｏｍｂｉｎｉｎｇ）機能によって、異なる基地局にデータを複製分配することで、ソフトハンドオーバが可能である。しかしながら、ＨＳＤＰＡではＭＡＣ−ｈｓ機能が基地局に存在するため、基地局間のハンドオーバを実現することができない。
【００２２】
このため、ＨＳＤＰＡ方式での高速パケット通信中に基地局間のハンドオーバが発生した場合、ＲＮＣは下りのパケットデータの転送先をハンドオーバ元の基地局（Ｓｅｒｖｉｎｇ  ＮｏｄｅＢ）からハンドオーバ先の基地局（Ｔａｒｇｅｔ  ＮｏｄｅＢ）へと切替える必要がある。この基地局間の切替えの際にハンドオーバ元の基地局のＭＡＣ−ｈｓ機能がリセットされ、それまでにキューに保持していたデータがクリアされてしまうため、データロスが発生する。
【００２３】
上位ＲＬＣ（Ｒａｄｉｏ  ｌｉｎｋ  Ｃｏｎｔｒｏｌ）レイヤが送達確認型（ＡＭ：Ａｃｋｎｏｗｌｅｄｇｅ  Ｍｏｄｅ）の場合にはロスが検出されたデータによって再送されるが、送達未確認型（ＵＭ：Ｕｎａｃｋｎｏｗｌｅｄｇｅ  Ｍｏｄｅ）の場合には上位プロトコルでクリアされたパケットの再送も行われない。
【００２４】
したがって、ＨＳＤＰＡ方式でのＲＬＣ−ＵＭを使用した高速パケット通信中に基地局間ハンドオーバが発生すると、移動局（ＵＥ：Ｕｓｅｒ  Ｅｑｕｉｐｍｅｎｔ）側で高速パケットのデータ抜け（データロス）が発生してしまうという問題が発生する。
【００２５】
本発明の移動通信システムでは、この高速パケットのデータ抜けを防止するために、ＨＳＤＰＡ方式での高速パケット通信中に基地局をまたがったハンドオーバが発生した場合、ハンドオーバ元の基地局からハンドオーバ先の基地局へパケットデータを以下の２方式で転送している。
【００２６】
まず、ＩＰ−ＲＡＮ（Ｉｎｔｅｒｎｅｔ  Ｐｒｏｔｏｃｏｌ−Ｒａｄｉｏ  Ａｃｃｅｓｓ  Ｎｅｔｗｏｒｋ）網の場合には、ハンドオーバ先の基地局のＴｒａｎｓｐｏｒｔ  Ｌａｙｅｒ  Ａｄｄｒｅｓｓ（ＩＰ  Ａｄｄｒｅｓｓ）とＢｉｎｄｉｎｇ  ＩＤ［ＵＤＰ（Ｕｓｅｒ  Ｄａｔａｇｒａｍ  Ｐｒｏｔｏｃｏｌ）  ｐｏｒｔ  ｎｕｍｂｅｒ］とをＲＮＣがハンドオーバ元の基地局に通知することによって、ハンドオーバ元の基地局からハンドオーバ先の基地局へのデータ転送を可能とする。
【００２７】
また、ＡＴＭ  ｂａｓｅｄ  ＲＡＮ網の場合には、ハンドオーバ先の基地局のＡＡＬ２エンドポイントアドレスをＲＮＣがハンドオーバ元の基地局に通知することによって、ハンドオーバ元の基地局からハンドオーバ先の基地局へのデータ転送を可能とする。その際、新たにＡＡＬ２コネクションを確立し、このリンクを使用して高速パケットデータ転送を行う。
【００２８】
さらに、本発明の移動通信システムでは、基地局間ハンドオーバの発生時にハンドオーバ先の基地局での下り高速パケット転送時の順序制御のために、ＨＳ−ＤＳＣＨプロトコル内に新たにシーケンス番号（Ｓｅｑｕｅｎｃｅ  Ｎｕｍｂｅｒ）を載せることとする。これによって、ハンドオーバ先の基地局はＲＮＣ及びハンドオーバ元の基地局からの高速パケットデータを順序通りに移動局へと転送することが可能となる。
【００２９】
このように、本発明の移動通信システムでは、基地局間ハンドオーバの発生時に、データロスがなく、順序制御がなされた高速パケット通信が可能となる。
【００３０】
【発明の実施の形態】
次に、本発明の実施例について図面を参照して説明する。図１は本発明の一実施例によるＲＮＣ（Ｒａｄｉｏ  Ｎｅｔｗｏｒｋ  Ｃｏｎｔｒｏｌｌｅｒ：基地局制御装置）の構成を示すブロック図である。図１においてはＩＰ（Ｉｎｔｅｒｎｅｔ  Ｐｒｏｔｏｃｏｌ）をベースとした網でのデータ転送の構成の概略を示している。
【００３１】
図１において、ＲＮＣ１はＩＰルーティング処理部２と、ＩＰルーティング処理部２で実行されるプログラム（コンピュータで実行可能なプログラム）を格納する記録媒体３とを含んで構成され、基地局（ＮｏｄｅＢ＃１〜ＮｏｄｅＢ＃Ｎ）４−１〜４−Ｎに接続されている。また、ＩＰルーティング処理部２は呼制御部２１と、データ転送部２２と、シーケンス番号保存部２３と、転送先ＩＰアドレス保存部２４とを含んで構成されている。
【００３２】
尚、ＲＮＣ１はＩＰルーティング処理部２のほかに、Ｉｕインタフェースプロトコル処理部、無線インタフェース処理部等を備えているが、本発明には直接関係しないので、その構成及び動作についての説明は省略する。
【００３３】
ちなみに、無線インタフェース処理部はＰＤＣＰ（ＰＤＣＰ）プロトコル処理部、ＲＬＣ（Ｒａｄｉｏ  ｌｉｎｋ  Ｃｏｎｔｒｏｌ）［ＵＭ（Ｕｎａｃｋｎｏｗｌｅｄｇｅ  Ｍｏｄｅ），ＡＭ（Ａｃｋｎｏｗｌｅｄｇｅ  Ｍｏｄｅ）］プロトコル処理部、ＭＡＣ−ｄ（Ｄｅｄｉｃａｔｅｄ  Ｍｅｄｉｕｍ  ＡｃｃｅｓｓＣｏｎｔｒｏｌ）プロトコル処理部、ＨＳ−ＤＳＣＨＦＰ（Ｈｉｇｈ  Ｓｐｅｅｄ−Ｄｏｗｎｌｉｎｋ  Ｓｈａｒｅｄ  Ｃｈａｎｎｅｌ  Ｆｒａｍｅ  Ｐｒｏｔｏｃｏｌ）プロトコル処理部等を備えている。
【００３４】
以下、図１を参照してＲＮＣ１の動作について説明する。まず、ＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）をハンドオーバ元の基地局（Ｓｅｒｖｉｎｇ  ＮｏｄｅＢ）４−１からハンドオーバ先の基地局（Ｔａｒｇｅｔ  ＮｏｄｅＢ）４−Ｎに移動する際、ＲＮＣ１には移動局（ＵＥ：Ｕｓｅｒ  Ｅｑｕｉｐｍｅｎｔ）（図示せず）が測定報告をＲＲＣ（Ｒａｄｉｏ  Ｒｅｓｏｕｒｃｅ  Ｃｏｎｔｒｏｌ）＿Ｍｅａｓｕｒｅｍｅｎｔ  Ｒｅｐｏｒｔとして送信してくる。
【００３５】
ＩＰルーティング処理部２はＲＲＣ＿Ｍｅａｓｕｒｅｍｅｎｔ  Ｒｅｐｏｒｔを受信した時のＨＳ−ＤＳＣＨＦＰのシーケンス番号（Ｓｅｑｕｅｎｃｅ  Ｎｕｍｂｅｒ）をシーケンス番号保存部２３に保存する。
【００３６】
呼制御部２１はハンドオーバ元の基地局４−１のＨＳ−ＤＳＣＨＦＰのリソースを削除するため、ハンドオーバ元の基地局４−１にＲＬ（Ｒａｄｉｏ  Ｌｉｎｋ）  Ｒｅｃｏｎｆｉｇｕｒａｔｉｏｎ  Ｐｒｅｐａｒｅを送信する。また、呼制御部２１はハンドオーバ先の基地局４−ＮにＨＳ−ＤＳＣＨＦＰのリソースを追加するため、ハンドオーバ先の基地局４−ＮにＲＬ  Ｒｅｃｏｎｆｉｇｕｒａｔｉｏｎ  Ｐｒｅｐａｒｅを送信する。
【００３７】
ハンドオーバ先の基地局４−Ｎは自局のＩＰアドレスとＵＤＰ（Ｕｓｅｒ  Ｄａｔａｇｒａｍ  Ｐｒｏｔｏｃｏｌ）ポート番号とをのせたＲＬ  Ｒｅｃｏｎｆｉｇｕｒａｔｉｏｎ  ＲｅａｄｙをＲＮＣ１に送信する。呼制御部２１はハンドオーバ先の基地局４−Ｎから送られてきたメッセージ内のＩＰアドレスとＵＤＰポート番号とを転送先ＩＰアドレス保存部２４に保存する。
【００３８】
呼制御部２１はＲＲＣ＿Ｍｅａｓｕｒｅｍｅｎｔ  Ｒｅｐｏｒｔの受信時にシーケンス番号保存部２３に保存したシーケンス番号と、ハンドオーバ先の基地局４−ＮのＩＰアドレス及びＵＤＰポート番号とをのせたＲＬ  Ｒｅｃｏｎｆｉｇｕｒａｔｉｏｎ  Ｃｏｍｍｉｔをハンドオーバ元の基地局４−１に送信する。
【００３９】
データ転送部２２はハンドオーバ元の基地局４−１のＩＰアドレスとＵＤＰポート番号とを基に、ハンドオーバ元の基地局４−１からハンドオーバ先の基地局４−Ｎへのデータ転送を行う。
【００４０】
図２は本発明の一実施例におけるＩＰ−ＲＡＮ（Ｉｎｔｅｒｎｅｔ  Ｐｒｏｔｏｃｏｌ−Ｒａｄｉｏ  Ａｃｃｅｓｓ  Ｎｅｔｗｏｒｋ）網でのＩＰルーティングによるデータ転送手順を示すシーケンスチャートである。これら図１及び図２を参照して本発明の一実施例におけるＩＰ−ＲＡＮ網でのＩＰルーティングによるデータ転送手順について説明する。
【００４１】
尚、以下の説明ではＮＢＡＰ（ＮｏｄｅＢ  Ａｐｐｌｉｃａｔｉｏｎ  Ｐａｒｔ）：ＲＬ  Ｒｅｃｏｎｆｉｇｕｒａｔｉｏｎ  Ｒｅａｄｙ内のＴｒａｎｓｐｏｒｔ  Ｌａｙｅｒ  Ａｄｄｒｅｓｓがハンドオーバ先の基地局４−１のＩＰアドレスを指し示し、Ｂｉｎｄｉｎｇ  ＩＤがＵＤＰ（Ｕｓｅｒ  Ｄａｔａｇｒａｍ
Ｐｒｏｔｏｃｏｌ）ポート番号を指し示している。
【００４２】
ＲＮＣ１は高速パケット通信中に移動局から基地局間のハンドオーバの起動を要求するメッセージ（Ｍｅｓｕｒｅｍｅｎｔ  Ｒｅｐｏｒｔ）を受信した際に（図２のａ１）、その時点までに基地局へ送信したＨＳ−ＤＳＣＨＦＰのシーケンス番号（Ｓｅｑｕｅｎｃｅ  Ｎｕｍｂｅｒ）を記憶する（図２のａ２）。
【００４３】
ＲＮＣ１が基地局からのＮＢＡＰ：ＲＬ  Ｒｅｃｏｎｆｉｇｕｒａｔｉｏｎ  Ｒｅａｄｙメッセージ内のＴｒａｎｓｐｏｒｔ  Ｌａｙｅｒ  ＡｄｄｒｅｓｓとＢｉｎｄｉｎｇ  ＩＤとをハンドオーバ元の基地局４−１へ送信するＮＢＡＰ：ＲＬ  Ｒｅｃｏｎｆｉｇｕｒａｔｉｏｎ  Ｃｏｍｍｉｔに載せることによって、ハンドオーバ元の基地局４−１にデータ転送先を通知する（図２のａ７）。
【００４４】
ハンドオーバ元の基地局４−１はＮＢＡＰ：ＲＬ  Ｒｅｃｏｎｆｉｇｕｒａｔｉｏｎ  Ｃｏｍｍｉｔを受信すると、セルが切替わるＡｃｔｉｖａｔｉｏｎ  Ｔｉｍｅ（ＣＦＮ：Ｃｏｎｎｅｃｔｉｏｎ  Ｆｒａｍｅ  Ｎｕｍｂｅｒ）までの間にＮＢＡＰ：ＲＬ  Ｒｅｃｏｎｆｉｇｕｒａｔｉｏｎ  Ｃｏｍｍｉｔ内のＴｒａｓｎｐｏｒｔ  Ｌａｙｅｒ  Ａｄｄｒｅｓｓ（ＩＰアドレス）とＢｉｎｄｉｎｇＩＤ（ＵＤＰポート番号）とを宛て先とし、ＮＢＡＰ：ＲＬ  Ｒｅｃｏｎｆｉｇｕｒａｔｉｏｎ  Ｃｏｍｍｉｔで受信したシーケンス番号以降からＮＢＡＰ：ＲＬ  Ｒｅｃｏｎｆｉｇｕｒａｔｉｏｎ  Ｃｏｍｍｉｔを受信した時点までの高速パケットデータをＲＮＣ１へ送信する（図２のａ９，ａ１０）。
【００４５】
ＲＮＣ１ではルーティングによってＮＢＡＰ：ＲＬ  Ｒｅｃｏｎｆｉｇｕｒａｔｉｏｎ  Ｃｏｍｍｉｔ送信後に、ハンドオーバ元の基地局４−１からハンドオーバ先の基地局４−Ｎへのデータ転送を開始する（図２のａ１１）。
【００４６】
また、予めＲＮＣ１で、Ｔｒａｎｓｐｏｒｔ  Ｌａｙｅｒ  Ａｄｄｒｅｓｓ（ＩＰ  Ａｄｄｒｅｓｓ）と各基地局との対応付けが記載された局データを保有しておき、ＲＮＣ１が再開時にこの局データを読出し、Ｔｒａｎｓｐｏｒｔ  Ｌａｙｅｒ  Ａｄｄｒｅｓｓ→基地局番号変換テーブルとして保有しておく。
【００４７】
ＲＮＣ１はハンドオーバ元の基地局４−１から転送されてきた高速パケットデータ受信時にこのＴｒａｎｓｐｏｒｔ  Ｌａｙｅｒ  Ａｄｄｒｅｓｓ→基地局番号変換テーブルを使って、高速パケットデータに載ってきたＴｒａｎｓｐｏｒｔＬａｙｅｒ  Ａｄｄｒｅｓｓを基地局番号へと変換し、該当基地局（ハンドオーバ先の基地局４−Ｎ）へのデータ転送を行う。
【００４８】
このように、本実施例では、ＨＳＤＰＡ方式での高速パケット通信中に基地局をまたがったハンドオーバが発生した場合、ハンドオーバ元の基地局４−１からハンドオーバ先の基地局４−Ｎへパケットデータを転送することによって、高速パケットのデータ抜けを防止することができ、ＲＮＣ１において異なる基地局間で移動局の移動が発生した場合でも、データロスがない高速パケット通信を行うことができる。
【００４９】
つまり、本実施例では、ＩＰ−ＲＡＮ網の場合に、ハンドオーバ先の基地局４−ＮのＴｒａｎｓｐｏｒｔ  Ｌａｙｅｒ  Ａｄｄｒｅｓｓ（ＩＰアドレス）とＢｉｎｄｉｎｇ  ＩＤ（ＵＤＰポート番号）とをＲＮＣ１がハンドオーバ元の基地局４−１に通知することによって、ハンドオーバ元の基地局４−１からハンドオーバ先の基地局４−Ｎへのデータ転送が可能となる。
【００５０】
よって、本実施例では、高速パケットのデータ抜けを防止することができ、ＲＮＣ１において異なる基地局間で移動局の移動が発生した場合でも、データロスがない高速パケット通信を行うことができる。
【００５１】
図３は本発明の他の実施例によるＲＮＣの構成を示すブロック図である。図３においてはＡＴＭ（Ａｓｙｃｈｒｏｎｏｕｓ  Ｔｒａｎｓｆｅｒ  Ｍｏｄｅ）をベースとした網でのデータ転送の構成の概略を示している。
【００５２】
図３において、ＲＮＣ５はＡＡＬ２（ＡＴＭ  Ａｄａｐｔａｔｉｏｎ  Ｌａｙｅｒ  ｔｙｐｅ２）スイッチング処理部６と、ＡＡＬ２スイッチング処理部６で実行されるプログラム（コンピュータで実行可能なプログラム）を格納する記録媒体７とを含んで構成され、基地局（ＮｏｄｅＢ＃１〜ＮｏｄｅＢ＃Ｎ）４−１〜４−Ｎに接続されている。また、ＡＡＬ２スイッチング処理部６は呼制御部６１と、データ転送部６２と、シーケンス番号保存部６３と、ＮｏｄｅＢとエンドポイトンとのアドレス対応テーブル（以下、アドレス対応テーブルとする）６４とを含んで構成されている。
【００５３】
尚、ＲＮＣ１はＡＡＬ２スイッチング処理部６のほかに、ＡＡＬ２終端装置、Ｉｕインタフェースプロトコル処理部、無線インタフェース処理部等を備えているが、本発明には直接関係しないので、その構成及び動作についての説明は省略する。
【００５４】
以下、図３を参照してＲＮＣ５の動作について説明する。まず、ＨＳ−ＤＳＣＨをハンドオーバ元の基地局（Ｓｅｒｖｉｎｇ  ＮｏｄｅＢ）４−１からハンドオーバ先の基地局（Ｔａｒｇｅｔ  ＮｏｄｅＢ）４−Ｎに移動する際、ＲＮＣ５には移動局（図示せず）が測定報告をＲＲＣ＿Ｍｅａｓｕｒｅｍｅｎｔ  Ｒｅｐｏｒｔとして送信してくる。
【００５５】
ＡＡＬ２スイッチング処理部６はＲＲＣ＿Ｍｅａｓｕｒｅｍｅｎｔ  Ｒｅｐｏｒｔを受信した時のＨＳ−ＤＳＣＨＦＰのシーケンス番号をシーケンス番号保存部６３に保存する。
【００５６】
呼制御部６１はアドレス対応テーブル６４からハンドオーバ先の基地局４−Ｎのエンドポイントアドレスを割り出す。また、呼制御部６１はハンドオーバ元の基地局４−１のＨＳ−ＤＳＣＨＦＰのリソースを削除するため、ハンドオーバ先の基地局４−ＮのエンドポイントアドレスをのせたＲＬ  Ｒｅｃｏｎｆｉｇｕｒａｔｉｏｎ  Ｐｒｅｐａｒｅをハンドオーバ元の基地局４−１に送信する。
【００５７】
ハンドオーバ元の基地局４−１はハンドオーバ先の基地局４−ＮのエンドポイントアドレスをＤｅｓｔｉｎａｔｉｏｎ  Ｅｎｄ  Ｐｏｉｎｔ  Ａｄｄｒｅｓｓに設定したＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＥＲＱ（Ｅｓｔａｂｌｉｓｈ  Ｒｅｑｕｅｓｔ  Ｍｅｓｓａｇｅ）をＲＮＣ１に送信する。呼制御部６１はＡＬＣＡＰ：ＥＲＱにて送付されたＤｅｓｔｉｎａｔｉｏｎ  Ｅｎｄ  Ｐｏｉｎｔ  Ａｄｄｒｅｓｓにしたがって、ＡＬＣＡＰ：ＥＲＱをハンドオーバ元の基地局４−１に送信する。
【００５８】
呼制御部６１はハンドオーバ先の基地局４−ＮにＨＳ−ＤＳＣＨＦＰのリソースを追加するため、ハンドオーバ先の基地局４−ＮにＲＬ  Ｒｅｃｏｎｆｉｇｕｒａｔｉｏｎ  Ｐｒｅｐａｒｅを送信する。ハンドオーバ先の基地局４−ＮはＲＬ  Ｒｅｃｏｎｆｉｇｕｒａｔｉｏｎ  ＲｅａｄｙをＲＮＣ１に送信する。
【００５９】
呼制御部６１はシーケンス番号保存部６３から取出したシーケンス番号をのせたＲＬ  Ｒｅｃｏｎｆｉｇｕｒａｔｉｏｎ  Ｃｏｍｍｉｔをハンドオーバ元の基地局４−１に送信する。データ転送部６２はハンドオーバ元の基地局４−１からのＤｅｓｔｉｎａｔｉｏｎ  Ｅｎｄ  Ｐｏｉｎｔ  Ａｄｄｒｅｓｓを基に、ハンドオーバ元の基地局４−１からハンドオーバ先の基地局４−Ｎへのデータ転送を行う。
【００６０】
図４は本発明の他の実施例におけるＡＴＭをベースとした網でのＡＡＬ２コネクションを用いた高速パケットデータ転送手順を示すシーケンスチャートである。これら図３及び図４を参照して本発明の他の実施例におけるＡＴＭをベースとした網でのＡＡＬ２コネクションを用いた高速パケットデータ転送手順について説明する。
【００６１】
尚、以下の説明ではＮＢＡＰ：ＲＬ  Ｒｅｃｏｎｆｉｇｕｒａｔｉｏｎ  Ｒｅａｄｙ内のＡＡＬ２エンドポイントアドレスがハンドオーバ先の基地局４−ＮのＡＡＬ２エンドポイントアドレスを指し示し、Ｂｉｎｄｉｎｇ  ＩＤがＵＤＰポート番号を指し示している。
【００６２】
ＲＡＮ（Ｒａｄｉｏ  Ａｃｃｅｓｓ  Ｎｅｔｗｏｒｋ）の場合、ＲＮＣ５はハンドオーバ元の基地局４−１へ送信するＮＢＡＰ：ＲＬ  Ｒｅｃｏｎｆｉｇｕｒａｔｉｏｎ  Ｐｒｅｐａｒｅにハンドオーバ先の基地局４−ＮのＡＡＬ２エンドポイントアドレスを載せることによってデータ転送先を通知する（図４のｂ３）。
【００６３】
ハンドオーバ元の基地局４−１では、ＮＢＡＰ：ＲＬ  Ｒｅｃｏｎｆｉｇｕｒａｔｉｏｎ  ＲｅａｄｙをＲＮＣ５へ送信した後に、高速パケットデータ転送用のＡＡＬ２コネクションを確立するために、ＮＢＡＰ：ＲＬ  Ｒｅｃｏｎｆｉｇｕｒａｔｉｏｎ  Ｐｒｅｐａｒｅで受信したＡＡＬ２エンドポイントアドレスをＤｅｓｔｉｎａｔｉｏｎ  Ｅｎｄ  Ｐｏｉｎｔ  Ａｄｄｒｅｓｓに設定したＡＬＣＡＰ：ＥＲＱをＲＮＣ５へ送信する。
【００６４】
ＲＮＣ５ではＡＬＣＡＰ：ＥＲＱにて送付されたＤｅｓｔｉｎａｔｉｏｎ  Ｅｎｄ  Ｐｏｉｎｔ  Ａｄｄｒｅｓｓにしたがって、ＡＬＣＡＰ：ＥＲＱメッセージをハンドオーバ先の基地局４−Ｎに転送する。
【００６５】
ハンドオーバ先の基地局４−Ｎでは、ＡＬＣＡＰ：ＥＲＱ受信後、ＡＬＣＡＰ：ＥＣＦ（Ｅｓｔａｂｌｉｓｈ  Ｃｏｎｆｉｒｍ  Ｍｅｓｓａｇｅ）を送信し、そのＡＬＣＡＰ：ＥＣＦはＲＮＣ５を介して、ハンドオーバ元の基地局４−１へ送信され、高速パケットデータ転送用のハンドオーバ元の基地局４−１とハンドオーバ先の基地局４−Ｎとの間のＡＡＬ２コネクションが確立される（図４のｂ４〜ｂ８）。
【００６６】
その後、ハンドオーバ元の基地局４−１はＮＢＡＰ：ＲＬ  Ｒｅｃｏｎｆｉｇｕｒａｔｉｏｎ  Ｃｏｍｍｉｔを受信した後に、このＡＡＬ２コネクションを使用して、Ｃｅｌｌが切替わるＡｃｔｉｖａｔｉｏｎ  Ｔｉｍｅ（ＣＦＮ）までの間にＮＢＡＰ：ＲＬ  Ｒｅｃｏｎｆｉｇｕｒａｔｉｏｎ  Ｃｏｍｍｉｔ内のシーケンス番号以降からＮＢＡＰ：ＲＬ  Ｒｅｃｏｎｆｉｇｕｒａｔｉｏｎ  Ｃｏｍｍｉｔを受信した時点までの高速パケットデータをハンドオーバ先の基地局４−Ｎ側へ送信する（図４のｂ９〜ｂ１３）。
【００６７】
このように、本実施例では、ＨＳＤＰＡ方式での高速パケット通信中に基地局をまたがったハンドオーバが発生した場合、ハンドオーバ元の基地局４−１からハンドオーバ先の基地局４−Ｎへパケットデータを転送することによって、高速パケットのデータ抜けを防止することができ、ＲＮＣ５において異なる基地局間で移動局の移動が発生した場合でも、データロスがない高速パケット通信を行うことができる。
【００６８】
つまり、本実施例では、ＡＴＭ  ｂａｓｅｄ  ＲＡＮ網の場合に、ハンドオーバ先の基地局４−ＮのＡＡＬ２エンドポイントアドレスをＲＮＣ５がハンドオーバ元の基地局４−１に通知することによって、ハンドオーバ元の基地局４−１からハンドオーバ先の基地局４−Ｎへのデータ転送が可能となる。その際、本実施例では新たにＡＡＬ２コネクションを確立し、このリンクを使用して高速パケットデータ転送を行う。
【００６９】
よって、本実施例では、高速パケットのデータ抜けを防止することができ、ＲＮＣ５において異なる基地局間で移動局の移動が発生した場合でも、データロスがない高速パケット通信を行うことができる。
【００７０】
【発明の効果】
以上説明したように本発明は、上記のような構成及び動作とすることで、高速パケット通信中の基地局間ハンドオーバ時にデータロスのない高速パケットデータ転送を実現することができるという効果が得られる。
【図面の簡単な説明】
【図１】本発明の一実施例によるＲＮＣの構成を示すブロック図である。
【図２】本発明の一実施例におけるＩＰ−ＲＡＮ網でのＩＰルーティングによるデータ転送手順を示すシーケンスチャートである。
【図３】本発明の他の実施例によるＲＮＣの構成を示すブロック図である。
【図４】本発明の他の実施例におけるＡＴＭをベースとした網でのＡＡＬ２コネクションを用いた高速パケットデータ転送手順を示すシーケンスチャートである。
【図５】従来の移動通信システムの構成を示すブロック図である。
【図６】ＨＳ−ＤＳＣＨのプロトコルを示す図である。
【符号の説明】
１，５  ＲＮＣ
２  ＩＰルーティング処理部
３，７  記録媒体
４−１〜４−Ｎ  ＮｏｄｅＢ
６  ＡＡＬ２スイッチング処理部
２１，６１  呼制御部
２２，６２  データ転送部
２３，６３  シーケンス番号保存部
２４  転送先ＩＰアドレス保存部
６４  ＮｏｄｅＢとエンドポイントとのアドレス対応テーブル
【図１】
2004282652.tif 000003
【図２】
2004282652.tif 000004
【図３】
2004282652.tif 000005
【図４】
2004282652.tif 000006
【図５】
2004282652.tif 000007
【図６】
2004282652.tif 000008